(57)【要約】【課題】ユーザーの視点位置を簡単に且つ精度良く検出し、その視点位置から透明な板状部材上の指定位置を通して見える対象物の情報をユーザーに提供する。【解決手段】ユーザーの視点位置を視点位置検出部で検出すると共に、ユーザーが透明な板状部材１上で位置を指定すると、指定位置を指定位置検出部１１で検出する。また、視点位置と指定位置とを結ぶ線分の延長線上にある対象物に関する対象物情報を情報検索部で検索し、情報通知部１４によって対象物情報をユーザーに通知する。そして、視点位置検出部は、板状部材から所定の離隔距離Ｌ以上離して設定された複数の基準位置１５ａ，１５ｂと、ユーザーから見て複数の基準位置の各々に重なる板状部材上の位置をユーザーが指定した際に指定位置検出部で検出された複数の指定位置との位置関係に基づいて視点位置を検出する。【選択図】図７
2018116165.tif 000002
【特許請求の範囲】
【請求項１】
ユーザーが透明な板状部材（１）上で位置を指定すると、該ユーザーから該板状部材上の指定された位置を通して見える対象物の情報を、該ユーザーに提供する情報提供システムであって、
前記ユーザーの視点位置を検出する視点位置検出部（１２）と、
前記ユーザーが前記板状部材上で指定した指定位置を検出する指定位置検出部（１１）と、
前記視点位置と前記指定位置とを結ぶ線分の延長線上にある前記対象物に関する対象物情報を検索する情報検索部（１３）と、
前記対象物情報を前記ユーザーに通知する情報通知部（１４）と
を備え、
前記視点位置検出部は、前記板状部材から所定の離隔距離以上離して設定された複数の基準位置と、前記ユーザーから見て前記複数の基準位置の各々に重なる前記板状部材上の位置を該ユーザーが指定した際に前記指定位置検出部によって検出された複数の前記指定位置との位置関係に基づいて前記視点位置を検出する
情報提供システム。
【請求項２】
請求項１に記載の情報提供システムであって、
前記複数の基準位置は、前記板状部材よりも前記ユーザー側に設定されており、
前記視点位置検出部は、前記複数の基準位置と、前記ユーザーから前記板状部材上で前記複数の基準位置が反射して見える各々の位置を該ユーザーが指定した際に前記指定位置検出部によって検出された複数の前記指定位置との位置関係に基づいて前記視点位置を検出する
情報提供システム。
【請求項３】
請求項１または請求項２に記載の情報提供システムであって、
前記情報通知部は、前記視点位置から前記板状部材を通して見える景色に重ねて前記対象物情報を表示可能な透過型の表示装置である
情報提供システム。
【請求項４】
ユーザーが透明な板状部材上で位置を指定すると、該ユーザーから該板状部材上の指定された位置を通して見える対象物の情報を、該ユーザーに提供する情報提供方法であって、
前記ユーザーの視点位置を検出する視点位置検出工程（Ｓ１０２）と、
前記ユーザーが前記板状部材上で指定した指定位置を検出する指定位置検出工程（Ｓ１０４，Ｓ１１４，Ｓ１１８）と、
前記視点位置と前記指定位置とを結ぶ線分の延長線上にある前記対象物に関する対象物情報を検索する情報検索工程（Ｓ１０５，Ｓ１０６）と、
前記対象物情報を前記ユーザーに通知する情報通知工程（Ｓ１０７）と
を備え、
前記視点位置検出工程では、前記板状部材から所定の離隔距離以上離して設定された複数の基準位置と、前記ユーザーから見て前記複数の基準位置の各々に重なる前記板状部材上の位置を該ユーザーが指定したことに伴って前記指定位置検出工程で検出された複数の前記指定位置との位置関係に基づいて前記視点位置を検出する
情報提供方法。
【発明の詳細な説明】
【技術分野】
【０００１】
本発明は、ユーザーが透明な板状部材上で位置を指定すると、ユーザーから板状部材上の指定位置を通して見える対象物の情報を、ユーザーに提供する情報提供システムおよび情報提供方法に関する。
【背景技術】
【０００２】
ユーザーが、窓ガラスなどの透明な板状部材を通して見えるランドマークなどの対象物に興味を持った際に、ユーザーから見て対象物に重なる板状部材上の位置を触るなどして指定すると、その対象物に関する情報を検索してユーザーに提供する技術の開発が進められている。
こうした技術では、ユーザーの眼の位置（以下、視点位置）と、ユーザーが板状部材上で触った指定位置とを結んだ線分の延長線上にある対象物の情報を検索するようになっており、視点位置の違いによって指定位置の先にある対象物が異なるので、検索の前に視点位置を正確に検出する必要がある。
【０００３】
ユーザーの視点位置を検出する技術としては、ユーザーの顔を撮影する複数のカメラを搭載しておき、カメラで撮影された映像を解析することで視点位置を検出する技術が提案されている（例えば、特許文献１）。
【先行技術文献】
【特許文献】
【０００４】
【特許文献１】特開２００９−２６７７２９号公報
【発明の概要】
【発明が解決しようとする課題】
【０００５】
しかし、上記の提案されている技術では、ユーザーの視点位置を検出するために複数のカメラや、カメラの映像を解析する複雑な機能が必要であるという問題があった。
【０００６】
この発明は、従来技術が有する上述した課題に鑑みてなされたものであり、ユーザーの視点位置を簡単に且つ精度良く検出することが可能であり、その視点位置から板状部材上の指定位置を通して見える対象物の情報をユーザーに提供する技術の提供を目的とする。
【課題を解決するための手段】
【０００７】
上述した課題を解決するために本発明の情報提供システムおよび情報提供方法は、ユーザーの視点位置を検出すると共に、ユーザーが透明な板状部材上で位置を指定すると、指定位置を検出する。また、視点位置と指定位置とを結ぶ線分の延長線上にある対象物に関する対象物情報を検索して、ユーザーに対象物情報を通知する。そして、ユーザーの視点位置の検出は、板状部材から所定の離隔距離以上離して設定された複数の基準位置と、ユーザーから見て複数の基準位置の各々に重なる板状部材上の位置をユーザーが指定した際に検出された複数の指定位置との位置関係に基づいて行う。
【０００８】
このようにすれば、ユーザーが興味を持った対象物に重なる位置として板状部材上で指定した指定位置を検出するために備わっている機能を、ユーザーの視点位置の検出に流用することができ、ユーザーの視点位置を検出するために複数のカメラや、カメラの映像を解析する複雑な機能を追加する必要はないので、ユーザーの視点位置を簡単に検出することが可能となる。
そして、複数の基準位置を板状部材から所定の離隔距離以上離して設定しておくことにより、基準位置と指定位置との距離を確保することができるので、基準位置と指定位置とを結ぶ線分の傾きの誤差を抑制して、この線分に基づくユーザーの視点位置の検出精度を高めることが可能となる。
【図面の簡単な説明】
【０００９】
【図１】本実施例の情報提供システム１０が適用されるシチュエーションを例示した説明図である。
【図２】ユーザーから窓ガラス１を通して見える車外の景色を例示した説明図である。
【図３】本実施例の情報提供システム１０の構成を示す説明図である。
【図４】本実施例の情報提供システム１０で実行される情報提供制御処理を示すフローチャートである。
【図５】対象物を抽出する例を示す説明図である。
【図６】本実施例の視点位置検出処理を示すフローチャートである。
【図７】本実施例の情報提供システム１０でユーザーの視点位置を検出する例を示す説明図である。
【図８】変形例の情報提供システム１０でユーザーの視点位置を検出する例を示す説明図である。
【発明を実施するための形態】
【００１０】
以下では、上述した本願発明の内容を明確にするために実施例について説明する。
Ａ．適用シチュエーション  ：
図１には、本実施例の情報提供システム１０が適用されるシチュエーションが例示されている。本実施例の情報提供システム１０は、図示しない車両に搭載されており、図１に斜視図で示されるように、車内のユーザーから車両の窓ガラス１を通して見える車外のランドマークなどの対象物に関する情報（以下、対象物情報）をユーザーに提供するシステムである。
尚、以下では、窓ガラス１と直交する方向をＸ方向と称する。また、窓ガラス１の左右方向をＹ方向と称し、窓ガラス１の上下方向をＺ方向と称するものとする。
また、本実施例の窓ガラス１は、本発明の「透明な板状部材」に相当している。
【００１１】
図２には、ユーザーから窓ガラス１を通して見える車外の景色が例示されている。図２の例では、ユーザーから窓ガラス１を通して建物Ａ、建物Ｂ、建物Ｃが見えている。このうち、建物Ｂに興味を持ったユーザーが、窓ガラス１上で建物Ｂと重なる位置を指で触るなどして指定すると、本実施例の情報提供システム１０では、建物Ｂに関する対象物情報として、例えば建物Ｂの名称「○○タワービル」などが景色に重ねて表示されるようになっている。
【００１２】
Ｂ．システム構成  ：
図３には、本実施例の情報提供システム１０の構成が示されている。図示されるように本実施例の情報提供システム１０は、指定位置検出部１１と、視点位置検出部１２と、情報検索部１３と、情報通知部１４とを備えている。
尚、これら４つの「部」１１〜１４は、情報提供システム１０を機能に着目して概念的に分類したものであり、それぞれが必ずしも物理的に独立して存在している必要はない。これらは、各種の機器や、電子部品、集積回路、コンピュータ、コンピュータプログラム、あるいはそれらの組合せなどによって構成することができる。
【００１３】
指定位置検出部１１は、窓ガラス１上でユーザーが指で触るなどして指定した位置（以下、指定位置）を検出する。
本実施例の情報提供システム１０では、指定位置検出部１１として抵抗膜方式のタッチパネルが窓ガラス１に設置されており、ユーザーが触った指定位置を検出することが可能である。
尚、タッチパネルは、抵抗膜方式に限られず、静電容量方式や、超音波表面弾性波方式や、赤外線方式や、電磁誘導方式などの他の方式であってもよい。また、ユーザーが指で直接的に触るのではなく、タッチペンなどの専用デバイスを用いて触るようにしてもよい。
【００１４】
視点位置検出部１２は、対象物を見るユーザーの眼の位置（以下、視点位置）を検出する。
本実施例の視点位置検出部１２は、上述の指定位置検出部１１や、窓ガラス１から所定の離隔距離（例えば、５０ｃｍ）以上離して設定された２つの基準位置を表す基準位置ＬＥＤ１５ａ，１５ｂと接続されている。詳しくは後述するが、これら２つの基準位置ＬＥＤ１５ａ，１５ｂの点灯時に、ユーザーから見て基準位置ＬＥＤ１５ａ，１５ｂに重なる窓ガラス１上の位置をユーザーが触るようになっており、その際に指定位置検出部１１で検出された２つの指定位置と、２つの基準位置との位置関係に基づいて、視点位置検出部１２がユーザーの視点位置を検出する。
【００１５】
情報検索部１３は、指定位置検出部１１や視点位置検出部１２と接続されていると共に、車両を目的地まで誘導するナビゲーションシステム２０と接続されており、車両の位置情報や、車両の向き情報や、車両周辺の地図情報を取得可能になっている。そして、情報検索部１３は、車両の位置情報や向き情報を参照しながら、視点位置検出部１２で検出された視点位置と、基準位置ＬＥＤ１５ａ，１５ｂの非点灯時にユーザーが窓ガラス１に触って指定位置検出部１１で検出された指定位置とを結ぶ線分の延長線上にある対象物に関する対象物情報を、車両周辺の地図情報などから検索する。
【００１６】
情報通知部１４は、情報検索部１３と接続されており、情報検索部１３で検索された対象物情報をユーザーに通知する。
本実施例の情報提供システム１０では、情報通知部１４として透過型ディスプレイが窓ガラス１に設置されており、ユーザーから窓ガラス１を通して見える景色に重ねて対象物情報を表示することが可能である。
尚、本実施例の透過型ディスプレイは、本発明の「透過型の表示装置」に対応している。
【００１７】
Ｃ．情報提供制御処理  ：
図４には、本実施例の情報提供システム１０で実行される情報提供制御処理のフローチャートが示されている。
この情報提供制御処理（Ｓ１００）は、図示しない起動／停止ボタンをユーザーが操作して情報提供システム１０を起動することで開始される。尚、車両のエンジン始動と同期して開始されるようにしてもよい。情報提供制御処理（Ｓ１００）では、まず、ユーザーの視点位置を検出済みであるか否かを判断する（Ｓ１０１）。未だユーザーの視点位置を検出していない場合は（Ｓ１０１：ｎｏ）、視点位置を検出するための後述する視点位置検出処理（Ｓ１０２）を実行する。
【００１８】
一方、既にユーザーの視点位置を検出している場合は（Ｓ１０１：ｙｅｓ）、視点位置検出処理（Ｓ１０２）を省略して、指定位置検出部１１としてのタッチパネルにユーザーが触ったか否かを判断する（Ｓ１０３）。
前述したように本実施例の情報提供システム１０では、ユーザーが窓ガラス１を通して見える景色の中の対象物に興味を持った際に、タッチパネルが設置された窓ガラス１上で対象物に重なる位置をユーザーが触るようになっており、未だユーザーがタッチパネルに触っていない場合は（Ｓ１０３：ｎｏ）、ユーザーがタッチパネルに触るまで待機状態となる。
そして、ユーザーがタッチパネルに触った場合は（Ｓ１０３：ｙｅｓ）、ユーザーが触った位置（すなわち、タッチパネル上でのＹ方向およびＺ方向の座標）を指定位置として検出する（Ｓ１０４）。
【００１９】
指定位置を検出すると、ユーザーの視点位置と、検出した指定位置とを結ぶ線分の延長線上から対象物を抽出する（Ｓ１０５）。
図５には、対象物を抽出する例が示されており、図５では、ユーザーおよび窓ガラス１を上方から見た状態を表している。本実施例の情報提供システム１０では、窓ガラス１の車内側の面に指定位置検出部１１としてのタッチパネルが設置されると共に、窓ガラス１の車外側の面に情報通知部１４としての透過型ディスプレイが設置されている。
前述したようにユーザーがタッチパネル１１上で触った位置が指定位置として検出される。また、ユーザーの両眼の中間が視点位置として検出されている。
【００２０】
本実施例の情報提供システム１０は車両に搭載されており、車両と共に移動するものの、ナビゲーションシステム２０から取得した車両の位置情報および向き情報を参照することによって、視点位置と指定位置とを結ぶ線分の延長線の方向（すなわち、ユーザーの視線）を特定することができる。
図５に示した例では、車内から窓ガラス１を通して見える車外の景色に建物Ａ，建物Ｂ，建物Ｃが含まれており、ナビゲーションシステム２０から取得した車両周辺の地図情報を参照して、車内のユーザーの視線上に存在する建物Ｂを対象物として抽出する。
【００２１】
尚、図５では、窓ガラス１を上方から見たＸ−Ｙ平面上でのユーザーの視線を表し、Ｙ方向（すなわち、窓ガラス１の左右方向）に位置が異なる複数の建物の中から対象物を抽出する例を説明したが、窓ガラス１を横から見たＸ−Ｚ平面（図示省略）上においても同様に、視点位置と指定位置とを結ぶ線分を延長してユーザーの視線が特定されるので、Ｚ方向に位置が異なる（すなわち、高さが異なる）複数の建物の中からユーザーの視線上に存在する建物を対象物として抽出することができる。
また、ユーザーの視線上に複数の建物（すなわち、対象物の候補）が存在する場合は、窓ガラス１から最も近い位置にある建物を対象物として抽出する。
もちろん、対象物は建物に限られず、山や湖などの自然物であってもよい。
【００２２】
図４の情報提供制御処理では、対象物の抽出（Ｓ１０５）に続いて、その対象物に関する対象物情報を検索する（Ｓ１０６）。例えば、ナビゲーションシステム２０から取得した地図情報を参照し、対象物として抽出した建物に対応付けて登録されている建物の名称などの情報を対象物情報として検索する。
尚、対象物情報を検索する情報源は、ナビゲーションシステム２０の地図情報に限られず、情報提供システム１０をインターネットと接続可能にして、インターネットを用いて対象物の位置に基づき対象物情報を検索してもよい。
また、対象物情報は、対象物に関する情報であれば特に限定されず、建物の高さや、建物に入居するテナント名などであってもよい。
【００２３】
こうして対象物情報を検索すると、検索した対象物情報を情報通知部１４としての透過型ディスプレイを用いて表示する（Ｓ１０７）。
前述したように窓ガラス１に設置された本実施例の透過型ディスプレイ１４（図５参照）は、ユーザーの視点位置から窓ガラス１を通して見える車外の景色に重ねて表示が可能であり、景色の中の対象物に対応付けて対象物情報を表示する（図２参照）。
【００２４】
対象物情報を表示したら、次に、情報提供システム１０を停止するか否かを判断する（Ｓ１０８）。本実施例の情報提供システム１０は、ユーザーによって起動／停止ボタンが操作されると停止する。また、車両のエンジン停止と連動して情報提供システム１０も停止する。
そして、情報提供システム１０を停止する場合は（Ｓ１０８：ｙｅｓ）、図４の情報提供制御処理を終了する。
一方、情報提供システム１０を停止しない場合は（Ｓ１０８：ｎｏ）、情報提供制御処理（Ｓ１００）の先頭に戻り、ユーザーの視点位置を検出済みであるか否かを判断する（Ｓ１０１）。
【００２５】
Ｓ１０１の処理では、情報提供システム１０が起動した直後や、ユーザーが視点位置を変更したのに伴い図示しない再検出ボタンを操作して視点位置の再検出を要求した場合などに、視点位置を未検出であると判断し（Ｓ１０１：ｎｏ）、以下の視点位置検出処理（Ｓ１０２）を実行する。
前述したように本実施例の情報提供システム１０では、ユーザーの視点位置と、ユーザーが窓ガラス１上で触った指定位置とを結んだ線分の延長線上にある対象物を抽出するようになっており、視点位置の違いによって指定位置の先にある対象物が異なることから、視点位置を正確に検出する必要がある。
【００２６】
図６には、視点位置検出処理のフローチャートが示されている。図示されるように視点位置検出処理（Ｓ１０２）では、まず、ユーザーに対して基準位置ＬＥＤ１５ａ，１５ｂが点灯したら窓ガラス１上で基準位置ＬＥＤ１５ａ，１５ｂと重なる位置に触ることを要請する案内を、情報通知部１４としての透過型ディスプレイに表示する（Ｓ１１１）。
前述したように本実施例の情報提供システム１０では、窓ガラス１から所定の離隔距離以上離して設定された２つの基準位置の各々に基準位置ＬＥＤ１５ａ，１５ｂが設けられている。このうち、まず第１基準位置を表す第１基準位置ＬＥＤ１５ａを点灯する（Ｓ１１２）。
【００２７】
続いて、窓ガラス１に指定位置検出部１１として設置されたタッチパネルにユーザーが触ったか否かを判断する（Ｓ１１３）。未だユーザーがタッチパネルに触っていない場合は（Ｓ１１３：ｎｏ）、ユーザーがタッチパネルに触るまで待機状態となる。
そして、ユーザーがタッチパネルに触った場合は（Ｓ１１３：ｙｅｓ）、ユーザーが触った位置を第１指定位置として検出する（Ｓ１１４）。
【００２８】
第１指定位置を検出すると、第１基準位置ＬＥＤ１５ａを消灯して（Ｓ１１５）、次に、第２基準位置を表す第２基準位置ＬＥＤ１５ｂを点灯する（Ｓ１１６）。続いて、再びユーザーがタッチパネルに触ったか否かを判断し（Ｓ１１７）、未だユーザーがタッチパネルに触っていない場合は（Ｓ１１７：ｎｏ）、ユーザーがタッチパネルに触るまで待機状態となる。
そして、ユーザーがタッチパネルに触った場合は（Ｓ１１７：ｙｅｓ）、ユーザーが触った位置を第２指定位置として検出した後（Ｓ１１８）、第２基準位置ＬＥＤ１５ｂを消灯する（Ｓ１１９）。
【００２９】
こうして検出した第１指定位置および第２指定位置と、窓ガラス１から離して予め設定された基準位置との位置関係に基づいてユーザーの視点位置を検出する（Ｓ１２０）。そして、視点位置を検出したら、図６の視点位置検出処理を終了して、図４の情報提供制御処理に復帰する。
【００３０】
図７には、本実施例の情報提供システム１０でユーザーの視点位置を検出する例が示されている。図７では、車両の前側の窓ガラス１（いわゆるフロントガラス）を上方から見た状態を表している。
図示した例では、窓ガラス１から所定の離隔距離Ｌ（例えば、５０ｃｍ）以上離して、車両のボンネット上に２つの基準位置が予め設定されており、２つの基準位置の各々に基準位置ＬＥＤ１５ａ，１５ｂが設けられている。
【００３１】
前述したように、第１基準位置を表す第１基準位置ＬＥＤ１５ａの点灯時に、タッチパネル１１が設置された窓ガラス１上で第１基準位置ＬＥＤ１５ａと重なる位置をユーザーが触ると、触った位置が第１指定位置として検出される。
この第１指定位置と第１基準位置とを結ぶ線分はユーザーの視線を表すことから、線分の延長線上にユーザーの視点位置がある。
【００３２】
また同様に、第２基準位置を表す第２基準位置ＬＥＤ１５ｂの点灯時に、ユーザーが窓ガラス１上で第２基準位置ＬＥＤ１５ｂと重なる位置を触ると、触った位置が第２指定位置として検出される。
この第２指定位置と第２基準位置とを結ぶ線分もユーザーの視線を表しており、線分の延長線上にユーザーの視点位置がある。
【００３３】
このように、窓ガラス１から離して設定された第１基準位置および第２基準位置と、ユーザーが窓ガラス１上で触った第１指定位置および第２指定位置との位置関係に基づいて、ユーザーの視線を表す２本の線分を特定すれば、ユーザーの視点位置は、これら２本の線分を延長した交点にあることから、交点を視点位置として検出することができる。
尚、図７では、窓ガラス１を上方から見たＸ−Ｙ平面上でユーザーの視点位置を検出する例を示したが、窓ガラス１を横から見たＸ−Ｚ平面（図示省略）上においても同様に、第１基準位置および第２基準位置と、第１指定位置および第２指定位置との位置関係に基づいて、ユーザーの視線を表す２本の線分が特定されるので、２本の線分を延長した交点をユーザーの視点位置として検出することができる。
【００３４】
以上に説明したように本実施例の情報提供システム１０では、予め設定された２つの基準位置と、ユーザーが窓ガラス１上で２つの基準位置の各々に重なる位置として触った２つの指定位置との位置関係に基づいて、ユーザーの視点位置を検出するようになっている。こうすれば、ユーザーが景色の中で興味を持った対象物に重なる位置として窓ガラス１上で触った指定位置を検出するために備わっている機能（すなわち、指定位置検出部１１としてのタッチパネルの機能）をユーザーの視点位置の検出に流用することができ、ユーザーの視点位置を検出するために複数のカメラや、カメラの映像を解析する複雑な機能を追加する必要はないので、ユーザーの視点位置を簡単に検出することが可能となる。
【００３５】
そして、２つの基準位置を窓ガラス１から所定の離隔距離以上離して設定しておくことにより、基準位置と指定位置との距離を確保することができるので、基準位置と指定位置とを結ぶ線分の傾きの誤差を抑制して線分の延長線上にある視点位置の検出精度を高めることが可能となる。
その結果、検出された視点位置と、ユーザーが窓ガラス１上で触った指定位置とを結ぶ線分の延長線上から、ユーザーが検索したい対象物を正しく抽出することができ、ユーザーが求める対象物情報を提供することが可能となる。
【００３６】
尚、本実施例の情報提供システム１０では、対象物情報をユーザーに通知する情報通知部１４として透過型ディスプレイを窓ガラス１に設置していたが、情報通知部１４は透過型ディスプレイに限定されず、窓ガラス１とは別の位置に設けられたディスプレイに対象物情報を表示してもよい。ただし、本実施例のように情報通知部１４として透過型ディスプレイを用いて、ユーザーの視点位置から窓ガラス１を通して見える景色に重ねて対象物情報を表示すれば、ユーザーは見ている対象物から視線を大きく変えることなく対象物情報を視認できるので、窓ガラス１とは別の位置で対象物情報を表示する場合に比べて、対象物情報の把握が容易となる。
また、情報通知部１４は、ユーザーに対する対象物情報の通知を表示によって行うものに限られず、音声によって対象物情報を通知するものであってもよい。
【００３７】
Ｄ．変形例  ：
図８には、変形例の情報提供システム１０でユーザーの視点位置を検出する例が示されている。図８では、窓ガラス１を上方から見た状態を表している。
前述した実施例では、２つの基準位置が窓ガラス１よりも車外側に設定されていたのに対して、変形例の情報提供システム１０では、窓ガラス１よりも車内側に２つの基準位置が設定されており、２つの基準位置の各々に基準位置ＬＥＤ１５ａ，１５ｂが設けられている。
尚、変形例の２つの基準位置についても、前述した実施例と同様に、窓ガラス１から所定の離隔距離以上離して設定されている。
【００３８】
変形例の情報提供システム１０では、第１基準位置を表す第１基準位置ＬＥＤ１５ａの点灯時に、タッチパネル１１が設置された窓ガラス１上で第１基準位置ＬＥＤ１５ａが反射して見える位置をユーザーが触るようになっており、触った位置が第１指定位置として検出される。
この第１指定位置と第１基準位置とを結ぶ線分を窓ガラス１に対して反射させた反射線はユーザーの視線を表すことから、反射線上にユーザーの視点位置がある。
【００３９】
また同様に、第２基準位置を表す第２基準位置ＬＥＤ１５ｂの点灯時に、窓ガラス１上で第２基準位置ＬＥＤ１５ｂが反射して見える位置をユーザーが触ると、触った位置が第２指定位置として検出される。
この第２指定位置と第２基準位置とを結ぶ線分を窓ガラス１に対して反射させた反射線もユーザーの視線を表しており、反射線上にユーザーの視点位置がある。
【００４０】
こうしてユーザーの視線を表す２本の反射線を特定すれば、ユーザーの視点位置は、これら２本の反射線の交点にあることから、交点を視点位置として検出することができる。
尚、図８では、窓ガラス１を上方から見たＸ−Ｙ平面上でユーザーの視点位置を検出する例を示したが、窓ガラス１を横から見たＸ−Ｚ平面（図示省略）上においても同様に、第１基準位置および第２基準位置と、第１指定位置および第２指定位置との位置関係に基づいて、ユーザーの視線を表す２本の反射線が特定されるので、２本の反射線の交点をユーザーの視点位置として検出することができる。
【００４１】
このように変形例の情報提供システム１０では、基準位置を窓ガラス１よりも車内側（すなわち、ユーザー側）に設定しておき、窓ガラス１での反射を利用することにより、車両の側方の窓ガラス１（いわゆるドアガラス）のように窓ガラス１よりも車外側に距離をとって基準位置を設定しておくことが困難な場合でも、基準位置と指定位置との距離を確保することができる。その結果、基準位置と指定位置とを結ぶ線分の傾きの誤差を抑制して、線分の窓ガラス１に対する反射線上にある視点位置の検出精度を高めることが可能となる。
【００４２】
尚、窓ガラス１に透明状態と鏡状態とを切り換えることが可能な調光ミラーを設置することとして、ユーザーの視点位置を検出する際には、調光ミラーを鏡状態にしてもよい。このようにすれば、ユーザーが窓ガラス１（すなわち、調光ミラー）上で反射する基準位置ＬＥＤ１５ａ，１５ｂを視認し易くなるので、窓ガラス１上で基準位置ＬＥＤ１５ａ，１５ｂが反射して見える位置としてユーザーが触る指定位置の誤差を抑制して、基準位置と指定位置とを結ぶ線分の反射線上にある視点位置の検出精度を一層高めることが可能となる。
【００４３】
以上、実施例および変形例について説明したが、本発明は上記の実施例および変形例に限られるものではなく、その要旨を逸脱しない範囲において種々の態様で実施することができる。
【００４４】
例えば、前述した実施例では、ユーザーの視点位置の検出に用いる基準位置を２つ設定していたが、基準位置の数は、複数であれば２つに限定されず、３つ以上の基準位置を設定しておいてもよい。
基準位置の数を増やせば、各基準位置に対してユーザーの視線を表す線分が特定されるので、複数の視線の交点として検出される視点位置の精度を高めることができる。
【００４５】
また、前述した実施例では、情報提供システム１０を車両に搭載した例を説明したが、情報提供システム１０の適用は、ユーザーが窓ガラスなどの透明な板状部材を通して景色を見ることができるシチュエーションであれば、車両に限られず、室内展望台などにも情報提供システム１０を好適に適用することが可能である。
情報提供システム１０を室内展望台に適用する場合には、車両のように移動することはないので、窓ガラス１の位置や向きは固定である。そのため、ユーザーから窓ガラス１を通して見える景色の中にあり、且つ正確な位置を特定可能である看板などの固定物を、基準位置として設定しておいてもよい。
さらに、大きな窓ガラス１を通して見える景色の中に多数の基準位置を設定しておけば、窓ガラス１を向いて所定の間隔を空けて立つ複数人のユーザーの各々の視点位置を検出することができ、各ユーザーの視点位置に合わせて、各ユーザーが窓ガラス１上で触った指定位置の先にある対象物に関する対象物情報の提供が可能となる。
【符号の説明】
【００４６】
１…窓ガラス、    １０…情報提供システム、    １１…指定位置検出部、
１２…視点位置検出部、    １３…情報検索部、    １４…情報通知部、
１５ａ…第１基準位置ＬＥＤ、    １５ｂ…第２基準位置ＬＥＤ、
２０…ナビゲーションシステム。
【図１】
2018116165.tif 000003
【図２】
2018116165.tif 000004
【図３】
2018116165.tif 000005
【図４】
2018116165.tif 000006
【図５】
2018116165.tif 000007
【図６】
2018116165.tif 000008
【図７】
2018116165.tif 000009
【図８】
2018116165.tif 000010